(57)【要約】【課題】記録媒体カートリッジの誤挿入を容易に判別して、記録媒体カートリッジが誤挿入されたままの状態でシャーシ側に押し付けられるのを防止する。【解決手段】記録再生装置１０１は、記録媒体カートリッジ１をカートリッジホルダ等の他部材を介さずに、直接、メカデッキ１０５に挿入し、該メカデッキのスピンドルモータ１０７にチャッキングして、記録媒体カートリッジの記録再生を行う。上記シャーシ１０６に、記録媒体カートリッジの挿入方向の前面１ａの曲面形状に倣う誤挿入防止部１２１を設け、該誤挿入防止部に記録媒体カートリッジの前面を押し付けて、記録媒体カートリッジの仮位置決めを行った後に、記録媒体カートリッジをシャーシ側に押し下げて該シャーシに設けた位置決め基準ピン１１１を記録媒体カートリッジに設けた位置決め穴１３に嵌合して記録媒体カートリッジの最終的な位置決めを行う。【選択図】図１
2008130198.tif 000002
【特許請求の範囲】
【請求項１】
記録媒体カートリッジを直接、メカデッキに挿入し、上記記録媒体カートリッジをメカデッキのシャーシ上に載置して、上記記録媒体カートリッジの再生を行う再生装置において、
上記メカデッキは、正規姿勢挿入時における上記記録媒体カートリッジの挿入方向の前面の曲面形状に倣う誤挿入防止部を備えていることを特徴とする再生装置。
【請求項２】
前面が円弧状の曲面に形成され、上記前面に連続する左右の側面が互いに平行するフラット面に形成され、上記前面に対向する後面は、上記左右の側面に連続するとともに上記前面よりも曲率の大きな円弧状の曲面に形成されている記録媒体カートリッジを直接、メカデッキに挿入し、上記記録媒体カートリッジをメカデッキのシャーシ上に載置して、上記記録媒体カートリッジの再生を行う再生装置において、
上記メカデッキは、正規姿勢挿入時における上記記録媒体カートリッジの前面の曲面形状に倣う誤挿入防止部を備えていることを特徴とする再生装置。
【請求項３】
上記誤挿入防止部は、上記記録媒体カートリッジ挿入時に該記録媒体カートリッジの前面の複数箇所に突き当たる複数の位置決め突起によって構成されていることを特徴とする請求項１に記載の再生装置。
【請求項４】
上記複数の位置決め突起は、その付け根部分に上記記録媒体カートリッジを載せる載置基準面を備えていることを特徴とする請求項３に記載の再生装置。
【請求項５】
上記位置決め突起および上記載置基準面は、上記メカデッキのシャーシに合成樹脂でアウトサート成形されていることを特徴とする請求項４に記載の再生装置。
【請求項６】
上記誤挿入防止部は、正規姿勢挿入時における上記記録媒体カートリッジの前面の曲面形状に倣う曲面部を備えていることを特徴とする請求項１に記載の再生装置。
【請求項７】
上記曲面部は、合成樹脂板を真空成形することにより中空状に形成されていて、上記曲面部の下端に連続するベースプレート部を介してシャーシ上に立設されていることを特徴とする請求項６に記載の再生装置。
【請求項８】
上記記録媒体カートリッジの下面には位置決め穴を設け、
上記シャーシには、上記記録媒体カートリッジの挿入方向の前面を下に向けて所定の勾配に傾斜させて上記前面を上記誤挿入防止部に接触させたときには上記記録媒体カートリッジの位置決め穴の開口部の周縁部に先端部が接触し、上記記録媒体カートリッジの前面を上記誤挿入防止部から所定量離間させたときに上記記録媒体カートリッジの下面に設けた位置決め穴に嵌合する位置決め基準ピンを設けたことを特徴とする請求項１に記載の再生装置。
【発明の詳細な説明】
【技術分野】
【０００１】
本発明は、カートリッジホルダを使用せずに記録媒体カートリッジを直接、メカデッキのシャーシに着脱する所謂ホルダレスの再生装置に関し、特に、カートリッジホルダを使用しないことにより、発生し易くなる記録媒体カートリッジの誤挿入を防止することができるようにしたものである。
【背景技術】
【０００２】
記録再生装置として図４３，図４４に示すものが知られている。図４３に示すように、上記記録再生装置３０１は、記録媒体カートリッジ（以下、単にカートリッジと称する）４０１を挿入するカートリッジホルダ３０２と、カートリッジホルダ３０２を取付けたシャーシ３０３と、を備えている。上記シャーシ３０３には、カートリッジ４０１の位置決めを行う一対の位置決め基準ピン３０４と、スピンドルモータ３０５と、光学ピックアップ３０６等が設けられている。
【０００３】
図４４に示すように、カートリッジホルダ３０２は、シャーシ３０３に対して所定の傾斜角度に傾斜させたカートリジ挿抜位置と、シャーシ３０３上に重ね合わせた記録再生位置（図示省略）と、の間で回動移動可能になっている。カートリッジホルダ３０２は、キャビネット蓋３１１の開閉に追従してカートリジ挿抜位置あるいは記録再生位置に移動する。
【０００４】
図４３に示すように、カートリッジ４０１は、前面４０１ａが円弧状の曲面に形成され、第１，第２の側面４０１ｂ，４０１ｃは、フラット面に形成され、後面４０１ｄは、前面４０１ａよりも緩やかな円弧状の曲面に形成されている。上記第１の側面４０１ｂにはカートリッジホルダ３０２の第１の側面３０２ａに設けた誤挿入防止部３０７を導入する誤挿入防止部ガイド溝４０２が形成されていて、該ガイド溝４０２の先端には、カートリッジ４０１がカートリッジホルダ３０２内に完全に収納された時に、上記誤挿入防止部３０７が嵌合する位置決め溝４０３が形成されている。また、カートリッジ４０１の下面には上記一対の位置決め基準ピン３０４が嵌合する一対の位置決め穴４０４と、上記スピンドルモータ３０４を導入する駆動用の開口部４０５と、上記光学ピックアップ３０６が臨む記録再生用の開口部４０６と、を備えている。
【０００５】
そして、図４３に示すように、カートリッジ４０１を正規の姿勢でカートリッジホルダ３０２に挿入すると、誤挿入防止部３０７が誤挿入防止部ガイド溝４０２に導入され、カートリッジ４０１は、カートリッジホルダ３０２に挿入されて、誤挿入防止部３０７が位置決め溝４０３に嵌り込んで、カートリッジ４０１がカートリッジホルダ３０２内に位置決めされる。
【０００６】
カートリッジ４０１をカートリッジホルダ３０２に収納した後に、カートリッジホルダ３０２を記録再生位置に移動させると、上記一対の位置決め基準ピン３０４が上記一対の位置決め穴４０４に嵌合してカートリッジ４０１がシャーシ３０３に対して位置決めされ、上記スピンドルモータ３０５が上記駆動用の開口部４０５からカートリッジ４０１内に侵入して上記カートリッジ４０１に収納されている光ディスク４０７のハブ４０８が上記スピンドルモータ３０５にチャッキングされると共に、光学ピックアップ３０６が上記記録再生用の開口部４０６を介して上記光ディスク４０７の記録面に臨む。そして、スピンドルモータ３０５で光ディスク４０７を回転させながら光学ピックアップ３０６を光ディスク４０７の半径方向に移動させながら記録再生を行う。記録再生終了後には、上記カートリッジホルダ３０２をカートリジ挿抜位置に戻して、カートリッジ４０１を取り出す。
【０００７】
カートリッジ４０１を前後逆の姿勢で、或いは表裏逆の姿勢でカートリッジホルダ３０２に挿入した場合には、誤挿入防止部３０７がカートリッジ４０１の第１の側面４０１ｂや第２の側面４０１ｃに係合して、カートリッジ４０１の更なる挿入が阻止される。
【０００８】
従って、カートリッジ４０１が誤挿入されたか否かは、カートリッジ４０１をカートリッジホルダ３０２に挿入した段階で判別され、誤挿入されたカートリッジ４０１が無理にスピンドルモータ３０５側に押し付けられたりするのが防止される。（例えば、特許文献１参照）
【特許文献１】特開２００５−３２２３１８号公報
【発明の開示】
【発明が解決しようとする課題】
【０００９】
上記従来のカートリッジホルダを備えた記録再生装置は、カートリッジホルダにカートリッジを挿入した段階で、カートリッジが誤挿入されたか否かを判別し、誤挿入された場合には、それ以上の操作、即ちカートリッジホルダを記録再生位置に移動させなければ、カートリッジの下面がシャーシ側に押し付けられることが無いので、カートリッジの無理な押し付けによる光ディスクや光学ピックアップ等の損傷を未然に防止できるが、カートリッジホルダを備えていない記録再生装置には、当然のことながら上記カートリッジホルダの誤挿入防止効果を得ることはできない。
【００１０】
近年、記録再生装置の構造の簡素化、軽量化を図るために、カートリッジホルダを使用しない記録再生装置の開発が臨まれている。カートリッジホルダを無くした場合に最も問題となるのが、以下の２点である。
【００１１】
（１）カートリッジの挿入方向等が間違っているのにも拘わらず正しいものと誤認して、カートリッジホルダをシャーシ側に強く押し付けるなどして、光ディスクや光学ピックアップ等を損傷してしまう虞がある。
【００１２】
（２）上記従来のカートリッジホルダを使用した記録再生装置においてカートリッジホルダを記録再生位置に移動させることによりカートリッジを容易にシャーシから取り出すことができたが、カートリッジホルダを使用しない記録再生装置においては、一々、指先で摘むなどしてカートリッジをシャーシから取出さなければならない。
【００１３】
本発明の目的は、カートリッジの曲面形状を有効利用することにより、上記従来の（１）の問題点を解決し、カートリッジホルダを使用しない記録再生装置においても、カートリッジの誤挿入を容易に判別して、カートリッジが誤挿入された状態においてシャーシ側に押し付けられるのを未然に防止することのできる記録再生装置を提供することにある。
【課題を解決するための手段】
【００１４】
本発明は、記録媒体カートリッジをカートリッジホルダを介さずに直接、メカデッキに挿入し、上記記録媒体カートリッジをメカデッキのシャーシ上に載置して、上記記録媒体カートリッジの記録再生を行う記録再生装置において、
上記メカデッキに、正規姿勢挿入時における上記記録媒体カートリッジの挿入方向の前面の曲面形状に倣う誤挿入防止部を設け、
上記誤挿入防止部に記録媒体カートリッジの前面を押し付けて、記録媒体カートリッジの仮位置決めを行った後に、記録媒体カートリッジを押し下げ、上記シャーシに設けた位置決め基準ピンを記録媒体カートリッジに設けた位置決め穴に嵌合して記録媒体カートリッジの最終的な位置決めを行う構成にした。
【発明を実施するための最良の形態】
【００１５】
以下、本発明を（１）記録再生装置全体の概略構成、（２）カートリッジの構成、（３）誤挿入防止部の構成、（４）キャビネット蓋およびカートリッジ排出機構の構成、（５）スピンドルモータの構成、（６）スレッドモータの構成、（７）伝達ギヤ群（ギヤトレイン）の構成、（８）作用および効果、の順に説明する。
【００１６】
（１）記録再生装置全体の概略構成、
図１は記録再生装置のキャビネット蓋を開いた状態の斜視図、図２は記録再生装置のキャビネット蓋を閉じた状態の斜視図、図３はキャビネット蓋を取り外した状態の斜視図、図４はカートリッジの前面側を下に向けて傾斜させ、上記前面側を誤挿入防止部に接触させた状態の斜視図、図５は図４の平面図、図６はカートリッジを装着した後の状態の記録再生装置の斜視図、図７は図６の平面図、図８はメカデッキの下面図である。
【００１７】
図１に示すように、記録再生装置１０１は、キャビネット１０２と、該キャビネット１０２に開閉可能に取り付けられたキャビネット蓋１０３と、該キャビネット蓋１０３によって開閉されるメカデッキ収納部１０４内に組み付けられたメカデッキ１０５と、を備えている。
【００１８】
上記メカデッキ１０５は、シャーシ１０６の上面側の略中央部にスピンドルモータ１０７を備え、該スピンドルモータ１０７の側方に光学ピックアップ１０８と、該光学ピックアップ１０８を走行させるスレッドモータ１０９および伝達ギヤ群１１０と、を備えている。光学ピックアップ１０８は、再生のみでなく記録もできる。
【００１９】
上記シャーシ１０６は、後端（挿入したカートリッジ１の後面１ｄ側が位置する端部、図１の右下辺部）に、カートリッジ１の下面１ｅに設けた左右一対の位置決め基準孔１３に嵌合する左右一対のカートリッジ位置決め基準ピン１１１を備えていると共に、前端（挿入したカートリッジ１の前面１ａ側が位置する端部、図１の左上辺部）にカートリッジ１の前面１ａを押し当てる誤挿入防止部１２１を備えている。
【００２０】
そして、図４，図５に示すように、カートリッジ１の前面１ａを下方に向けて所定の角度に傾斜させて該前面１ａを上記誤挿入防止部１２１に軽く押し付けた後に、カートリッジ１を後面１ｄ側に僅かに引くようにしながらカートリッジ１をシャーシ１０６側に軽く押し付けると、図６，図７に示すように、カートリッジ１の下面に設けた左右一対の位置決め穴１３に、シャーシ１０６に設けた位置決め基準ピン１１１が嵌合してカートリッジ１の位置決めがなされ、カートリッジ１に収納されているディスク状記録媒体がスピンドルモータ１０７にチャッキングされる。
【００２１】
キャビネット蓋１０３を閉じると、該キャビネット蓋１０３の内面に設けたカートリッジ排出機構１４１がカートリッジ１に係合する。そして、キャビネット蓋１０３を閉じた状態でスピンドルモータ１０７でディスク状記録媒体を回転させながら光学ピックアップ１０８によってディスク状記録媒体への記録再生を行う。
【００２２】
記録再生終了後にキャビネット蓋１０３を開くと、上記カートリッジ排出機構１４１により、カートリッジ１が持上げられてメカデッキ収納部１０４から取り出される。
【００２３】
（２）カートリッジの構成、
図９はカートリッジ１を上ハーフ側から見た斜視図、図１０はカートリッジ１を下ハーフ側から見た斜視図である。
【００２４】
カートリッジ１の内部にはディスク状記録媒体２が回転自在に収納されている。ディスク状記録媒体２は、ゲーム用のソフト等が記録された光ディスク２１の中央部にチャッキング用のハブ２２を取付けることにより構成されている。チャッキング用のハブ２２は、マグネットに吸引されるステンレス等の磁性金属により形成されている。
【００２５】
カートリッジ１は、前面１ａが光ディスク２１と略同じ曲率半径の円弧状の曲面に形成され、上記前面１ａに連続する左右の側面１ｂ，１ｃは、互いに平行するフラット面に形成され、上記前面１ａに対向する後面１ｄは、上記左右の第１，第２の側面１ｂ，１ｃに連続する上記前面１ａよりも曲率の大きな円弧状の曲面に形成されている。
【００２６】
カートリッジ１の下面１ｅの中央部には、上記ディスク状記録媒体２のハブ２２を外部に臨ませる駆動用開口部１１が設けられている。また、上記駆動用開口部１１の近傍から上記第２の側面１ｃに亘って、上記ディスク状記録媒体２の光ディスク２１の情報記録面を外部に臨ませる記録再生用開口部１２が設けられている。また、カートリッジ１の下面１ｅの上記後面１ｄ側の近傍には、一対の位置決め穴１３が設けられている
また、上記カートリッジ１の第１の側面１ｂと第２の側面１ｃには、キャビネット蓋１０３を閉じた時に、次に説明するキャビネット蓋１０３に設けたカートリッジ排出機構１４１の先端の略Ｖ字状の係合部１４２が嵌合する保持部材係合溝１４が設けられている。そして、上記キャビネット蓋１０３を閉じると、上記略Ｖ字状の係合部１４２が上記保持部材係合溝１４に係合し、上記キャビネット蓋１０３を開いた時に、上記カートリッジ１は、上記キャビネット蓋１０３と一緒にシャーシ１０６上に持ち上げられる。
【００２７】
（３）誤挿入防止部の構成、
誤挿入防止部１２１は、カートリッジ１の誤挿入を防止し、カートリッジ１が正規の姿勢で挿入された場合にのみ、メカデッキ１０５への装着を許容するものである。
【００２８】
図１〜図１４に示す第１実施例の誤挿入防止部１２１は、カートリッジ１の前面１ａの仮位置決めを行う左右一対の第１，第２の位置決め突起１２２，１２３を記録媒体カートリッジ１の前面１ａの形状に倣う（沿う）位置に配置することにより形成されている。
【００２９】
第１，第２の位置決め突起１２２，１２３は、アウトサート成形によりシャーシ１０６と一体的に形成されていて、付け根部分には、カートリッジ１の高さ位置方向の位置決めを行う載置基準面１２４が設けられている。
【００３０】
第１，第２の位置決め突起１２２，１２３は、カートリッジ１が正規の姿勢で挿入された場合には、図４，図５に示すように、カートリッジ１の前面１ａが接触し、カートリッジ１は、仮位置決めされて、図１１に示すように、上記位置決め基準ピン１１１の先端がカートリッジ１の位置決め穴１３の開口部の周縁部に接触した状態になる。
【００３１】
この状態でカートリッジ１を後面１ｄ側（矢印ａ方向）に僅かに引けば、図１２に示すように、位置決め穴１３に位置決め基準ピン１１１が嵌合して、カートリッジ１の前後、左右方向の位置決めが成されるとともに、カートリッジ１は、上記第１，第２の位置決め突起１２２，１２３の付け根部分に設けた載置基準面１２４および位置決め基準ピン１１１の付け根部分に設けた載置基準面１２５によって高さ方向の位置決めが成される。
【００３２】
上述のカートリッジ１の姿勢が正規の場合に対して、カートリッジ１が正規の姿勢でない場合、例えば、カートリッジ１の前後を逆にして装着しようとした場合には、図１３に示すように、カートリッジ１の後面１ｄに第１の位置決め突起１２２のみが接触する。カートリッジ１の後面１ｄに第１，第２の位置決め突起１２２，１２３の両方を接触させようとすると、図１４に示すように、カートリッジ１は、斜め横を向いて、装着する向きが違うことが示唆される。
【００３３】
図１５〜図１９は、第２実施例の誤挿入防止部１２１Ａを示す。上記第１実施例においては、誤挿入防止部１２１を第１，第２の２つの位置決め突起１２２，１２３で構成したが、第２実施例においては、図１５，図１６に示すように、誤挿入防止部１２１Ａは、上記シャーシ１０６上に重ね合わせるベースプレート１３１と、該ベースプレート１３１に立設されていてカートリッジ１の前面１ａの形状に倣う（沿う）曲面部１３２を有する壁状の位置決め突起１３３と、で構成されていて、上記ベースプレート１３１をシャーシ１０６に重ね合わせて接着することによりシャーシ１０６上に取り付けられている。上記壁状の位置決め突起１３３は、中空状に形成されている。
【００３４】
図１７に示すように、上記壁状の位置決め突起１３３の中空状内部には、シャーシ１０６に設けた複数の支持突起１３４が嵌合されていて、上記曲面部１３２の両端の変形し易い部分を背面側から支えて、記録媒体カートリッジ１を押し付けたときに、上記曲面部１３２が変形するのを防止している。
【００３５】
上記支持突起１３４の付け根部分にはカートリッジ１の高さ位置の位置決めを行う載置基準面１３５が一体的に形成されていて、該載置基準面１３５は、上記ベースプレート１３１に設けた切欠部１３６からベースプレート１３１上に突出している。
【００３６】
第２実施例の誤挿入防止部１２１Ａは、上述のような構成であって、カートリッジ１の前面１ａを、該前面１ａの形状に倣って（沿って）形成した曲面部１３２に当接させる構成としたので、図１８に示すように、カートリッジ１を正規の姿勢で挿入して前面１ａを上記曲面部１３２に当接させると両者は隙間なく密着してカートリッジ１は、仮位置決めされる。
【００３７】
また、カートリッジ１の前後を逆にして装着しようとした場合には、図１９に示すように、上記曲面部１３２とカートリッジ１の後面１ｄとの間に大きな隙間δが発生するので、装着する向きが違うことが明白になる。他の構成、作用、効果は第１実施例の場合と同じであるので重複する説明は省略する。なお、第２実施例では、誤挿入防止部１２１Ａを所謂ブリックパック状に形成してシャーシ１０６に取付ける構成にしたが、誤挿入防止部１２１Ａをシャーシ１０６にアウトサート成形により一体的に形成してもよい。
【００３８】
（４）キャビネット蓋およびカートリッジ排出機構の構成、
図１に示すように、キャビネット蓋１０３は、キャビネット１０２に回動開閉可能に取り付けられていて、メカデッキ１０５を収納したメカデッキ収納部１０４を開閉する。キャビネット蓋１０３は、図２に示す閉蓋状態において、図示を省略したロック機構によりロックされて、閉蓋状態に維持される。
【００３９】
図２０に示すように、キャビネット蓋１０３の内面にはカートリッジ排出機構１４１が設けられている。カートリッジ排出機構１４１は、閉じられているキャビネット蓋１０３を開く時に、該キャビネット蓋１０３に追従させてカートリッジ１をシャーシ１０３上に持上げてカートリッジ１を取出し易くする。
【００４０】
カートリッジ排出機構１４１は、キャビネット蓋１０３を閉じた時に、メカデッキ１０５に装着されているカートリッジ１の第１，第２の側面１ｂ，１ｃに設けた保持部材係合溝１４に先端の係合部１４２が係合する第１，第２のカートリッジ保持部１４３，１４４と、これら第１，第２のカートリッジ保持部１４３，１４４を長さ方向の両端部に設けたベース部１４５と、該ベース部１４５の一側部から突出させた状態に形成されていてキャビネット蓋１０３を閉じた時に先端部で上記カートリッジ１の前面１ａ側の上面１ｆを押圧してカートリッジ１の前面側をシャーシ１０６に押し付ける第１，第２のカートリッジ押え部１４６，１４７と、上記ベース部１４５の他側部から突出させた状態に形成されていてキャビネット蓋１０３を閉じた時に先端部で上記カートリッジ１の後面１ｄ側の上面１ｆを押圧してカートリッジ１の後面１ｄ側をシャーシ１０６に押し付ける第３，第４のカートリッジ押え部１４８，１４９と、を備えている。
【００４１】
上記係合部１４２は、上記第１，第２のカートリッジ保持部１４２，１４３に設けた弾性を有するアーム部１５０の先端を略Ｖ字状に折り曲げることにより形成されている。
【００４２】
上記アーム部１５０には捻りが与えられていて、キャビネット蓋１０３を閉じるときに上記略Ｖ字状の係合部１４２の稜線部１４２ａがカートリッジ１の上面１ｆの周縁部１ｇに接触して逃げ移動し、上記略Ｖ字状の係合部１４２が上記保持部材係合溝１４に来ると、上記係合部１４２はアーム部１５０の弾性によって復帰移動して上記保持部材係合溝１４に係合する。
【００４３】
上記カートリッジ排出機構１４１は、板バネ材を所定の形状に打抜いた後に所定の形状に折り曲げることにより形成されている。上記カートリッジ排出機構１４１は、ベース部１４５がキャビネット蓋１０３の内面に取り付けられている。
【００４４】
カートリッジ排出機構１４１は、上述のような構成であって、図２１，図２２に示すように、カートリッジ１をメカデッキ１０５に装着してキャビネット蓋１０３を閉じれば、図２３，図２４に示すように、上記第１，第２のカートリッジ保持部１４３，１４４の先端の係合部１４２がカートリッジ１の第１，第２の側面１ｂ，１ｃに設けた保持部材係合溝１４に係合するとともに、上記第１〜第４のカートリッジ押え部１４６〜１４９の先端でカートリッジ１をメカデッキ１０５のシャーシ１０６に押し付ける。そして、この状態で記録再生が行われる。
【００４５】
記録再生終了後にキャビネット蓋１０３を開けば、図２５〜図２７に示すように、
カートリッジ１の第１，第２の側面１ｂ，１ｃに設けた保持部材係合溝１４に係合部１４２が係合している第１，第２のカートリッジ保持部１４３，１４４によって、キャビネット蓋１０３と共にメカデッキ１０５のシャーシ１０６から持ち上げられる。
【００４６】
上記第１，第２のカートリッジ保持部１４３，１４４の係合部１４２が係合している保持部材係合溝１４の位置は、カートリッジ１の後面１ｄよりも前面１ａ側に変位した位置に設けられているので、その重量バランスによって、カートリッジ１は、上記カートリッジ保持部１４３，１４４の係合部１４２を支点にして、前面１ａ側が下がるように、図２５の時計方向に回動して、カートリッジ１の後面１ｄがキャビネット蓋１０３から離れた状態になる。従って、上記カートリッジ１の後面１ｄ側を指先Ｆで摘んで矢印Ａ方向に引張れば、図２８に示すように、上記保持部材係合溝１４の一端面１４ａが上記係合部１４２に接触して、係合部１４２は、矢印Ｂ方向に逃げ移動して保持部材係合溝１４から抜き出され、カートリッジ１は、フリーな状態になってメカデッキ１０５から取り出される。なお、上記実施例においては、第１，第２のカートリッジ保持部１４３，１４４にそれぞれ１個ずつ一対の係合部１４２を設け、これら一対の係合部１４２を上記カートリッジ１の第１，第２の側面１ｂ，１ｃに設けた保持部材係合溝１４に係合させる構成としたが、第１，第２のカートリッジ保持部１４３，１４４にそれぞれ複数の対状の係合部１４２を設け、これら複数対の係合部１４２を上記カートリッジ１の第１，第２の側面１ｂ，１ｃに設けた保持部材係合溝１４に係合させる構成としてもよい。また、上記実施例においては、上述したように、係合部１４２を上記カートリッジ１の第１，第２の側面１ｂ，１ｃに設けた保持部材係合溝１４に係合させる構成としたが、上記係合部１４２の先端をカートリッジ１の下面に係合させる構成にしてもよい。
【００４７】
（５）スピンドルモータの構成
図２９に示すように、上記スピンドルモータ１５１は、ステータ基板１６１に設けられた筒状の軸受部１６１ａと、該軸受部１６１ａの内周に取付けられた軸受１６２と、上記筒状の軸受部１６１ａを中央孔１６３内に挿入した状態で上記ステータ基板１６１上に載置された配線板１６４と、上記筒状の軸受部１６１ａの外周部に取付けられた鉄心コイル１６５と、上記軸受１６２に回転軸１６６の先端を挿入した状態で回転可能に取付けられたロータアッセンブリー１６７と、を備えている。上記ロータアッセンブリー１６７は、ロータ１６８と、該ロータ１６８にアウトサート成形された合成樹脂のターンテーブル１６９と、を備えている。
【００４８】
上記ロータ１６８の内面には上記鉄心コイル１６５と対を成すロータマグネット１７０が取付けられている。また、上記ディスクテーブル１６９にはディスク状記録媒体２のハブ２２をマグネットチャッキングするチャッキング用のマグネット１７１とディスク状記録媒体２のセンタリングを行うセンタリングバネ１７２が取付けられている。
【００４９】
図３０に分解して示すように、上記ロータアッセンブリー１６７は、金属製のロータ１６８と、該ロータ１６８にアウトサート成形された合成樹脂のディスクテーブル１６９と、からなっている。
【００５０】
上記ロータ１６８は、略円形状の天面部１６８ａと、該天面部１６８ａの外周部に所定の間隔１７３をもって配置される筒状のスカート部１６８ｂと、を備えている。上記筒状のスカート部１６８ｂの上端には、該上端を内側に略直角に折り曲げることにより、リング状のフランジ部１６８ｃが形成されている。
【００５１】
上記スカート部１６８ｂの上端の折曲部には、第１の樹脂導入孔１７４が形成されている。上記第１の樹脂導入孔１７４は、上記筒状のスカート部１６８ｂの周方向に所定の間隔をもって列設されている。
【００５２】
また、上記ディスクテーブル１６９は、上記ロータ１６８の外面側に位置するテーブル本体部１６９ａと、上記ロータ１６８の内面側に位置するロータ内面重合部１６９ｂと、を備えている。
【００５３】
上記ディスクテーブル１６９は、上記ロータ１６８の天面部１６８ａと筒状のスカート部１６８ｂを所定の間隔１７３をもって成形金型内に位置決めして配置したのち上記成形金型内に溶融樹脂を注入することによりアウトサート成形されている。そして、上記間隔１７３および第１の樹脂導入孔１７４によって、図３１に示すように、上記テーブル本体部１６９ａの内面と上記ロータ内面重合部１６９ｂの外面が結合されて、上記ロータ１６８と上記ディスクテーブル１６９の結合強化が図られる。なお、図３０に示すように、上記第１の樹脂導入孔１７４の周縁部の下端側は、外面側に凹部１７４ａを形成することにより、内面側を薄肉部１７４ｂに形成している。これは、ディスクテーブル１６９をアウトサート成形する際に、樹脂の一部を上記凹部１７４ａ内に導入することにより、図３１に示すように、テーブル本体部１６９ａの上記凹部１７４ａに対応する部分１６９ｃの肉厚を厚くして、テーブル本体部１６９ａの強化を図ったものである。
【００５４】
図３２〜図３４は、上記ロータ１６８と上記ディスクテーブル１６９の結合強化を図るための他の（第２の）実施例を示す。この実施例においては、上記ロータ１６８のスカート部１６８ｂの外周面に、上記ターンテーブル１６９を構成する合成樹脂の一部を導入する溝部１７５を形成し、上記ディスクテーブル１６９をアウトサート成形する際に、上記溝部１７５に上記テーブル本体部１６９ａ側の樹脂の一部１６９ｄを導入することにより上記ロータ１６８と上記ディスクテーブル１６９の結合強化を図った。その他の構成は第１実施例の場合と同じであるので同一構成部分には同一符号を付して重複する説明を省略する。
【００５５】
図３５〜図３７は、上記ロータ１６８と上記ディスクテーブル１６９の結合強化を図るための他の（第３の）実施例を示す。この実施例においては、上記筒状のスカート部１６８ｂの上端に設けたリング状のフランジ部１６８ｃの幅を上記第１実施例の場合よりも若干広くして、該フランジ部１６８ｃに第２の樹脂導入孔１７６を形成したものである。
【００５６】
上記ロータ１６８に上記ディスクテーブル１６９をアウトサート成形する際に、上記第２の樹脂導入孔１７６によって、上記テーブル本体部１６９ａの内面と上記ロータ内面重合部１６９ｂの外面が結合されて、上記ロータ１６８と上記ディスクテーブル１６９の結合強化が図られる。その他の構成は第１実施例の場合と同じであるので同一構成部分には同一符号を付して重複する説明を省略する。
【００５７】
図３８〜図４０は、上記ロータ１６８と上記ディスクテーブル１６９の結合強化を図るための他の（第４の）実施例を示す。この実施例は、上記第２，第３の実施例を組み合わせたものであり、上記ロータ１６８のスカート部１６８ｂの外周面に、上記ターンテーブル１６９を構成する合成樹脂の一部を導入する溝部１７５を形成すると共に、上記フランジ部１６８ｃに第２の樹脂導入孔１７６を設けたものであり、上記第２の実施例の効果と第３の実施例の効果を併せ持つ。その他の構成は第２、第３実施例の場合と同じであるので同一構成部分には同一符号を付して重複する説明を省略する。上記第１実施例と第２実施例を合体させてもよい。なお、上記実施例においては、ロータ１６８を、天面部１６８ａと筒状のスカート部１６８ｂの２部品で構成した場合を示したが、天面部１６８ａと筒状のスカート部１６８ｂを一体化して、天面部１６８ａと筒状のスカート部１６８ｂの間に上記隙間１７３に相当する樹脂導入用の穴を形成してもよい。
【００５８】
（６）スレッドモータの構成
スレッドモータは、次に説明する伝達ギヤ群（ギヤトレイン）を介して光学ピックアップを走行させるものである。図４１に示すように、上記スレッドモータ１０９は、モータ支持板としてのステータ基板１９１に取付けられていて、該ステータ基板１９１の外周部を上記シャーシ１０６の下面に重ね合わせてビス１５１等により上記シャーシ１０６の下面に垂下させた状態に取付けられている。
【００５９】
上記スレッドモータ１０９は、ステータ基板１９１に設けられた筒状の軸受部１９１ａと、該軸受部１９１ａの内周に取付けられた軸受１９２と、上記筒状の軸受部１９１ａを中央孔１９３内に挿入した状態で上記ステータ基板１９１上に載置された配線板１９４と、上記筒状の軸受部１９１の外周部に取付けられた鉄心コイル１９５と、上記軸受１９２に回転軸１９６を挿入した状態で回転可能に取付けられたロータ１９７と、を備えている。ロータ１９７の内面には上記鉄心コイル１９５と対をなすロータマグネット１９８が設けられている。
【００６０】
図４２に示すように、上記ロータ１９７は、有底円筒状に形成されていて、円筒部１９７ａの底面部１９７ｂ側の端部の外周面にリング状の第１のギヤ２０１を備え、上記円筒部１９７ａの底面部１９７ｂ側と反対側の端部に上記リング状のギヤ２０１と所定の間隔をもって対抗するフランジ部２００を備えている。
【００６１】
上記リング状の第１のギヤ２０１は、ロータ１９７の外面にアウトサート成形され、或いはロータ１９７の外面に嵌合することにより取付けられている。また、上記フランジ部２００は、ロータ１９７の開口側の端部を外側に向けて略直角に折り曲げることにより、或いはロータ１９７の外面にアウトサート成形されている。
【００６２】
上記スレッドモータ１０９の回転は、後に説明する伝達ギヤ群１１０を介して上記光学ピックアップ１０８に伝達される。
【００６３】
上記スレッドモータ１０９は、上記ビス１５１が緩むなどしてシャーシ１０６から脱落してしまうのをモータ脱落防止部１５２によって阻止される。モータ脱落防止部１５２は、シャーシ１０６の下面側に上記スレッドモータ１０９の外周面に沿わせて略垂直に形成された垂直片部１５３と、該垂直片部１５３の先端部を上記スレッドモータ１０９の中心部に向けて略直角に折り曲げた水平片部１５４と、によって略Ｌ字状に形成されていて、上記水平片部１５４の先端が上記ロータ１９７の外周面に設けたリング状のギヤ１９９とフランジ部２００の間の挿入されている。
【００６４】
上記垂直片部１５３は、弾性を有していて、該垂直片部１５３を撓ませて上記水平片部１５４を所謂逃がした状態にして、スレッドモータ１０９をシャーシ１０６に取付ける際の邪魔にならないようにしてもよい。
【００６５】
上記モータ脱落防止部１５２は、シャーシ１０６を切り起こすことにより、又は、シャーシ１０６にアウトサート成形により形成されている。
【００６６】
上記モータ脱落防止部１５２は、上述のような構成であって、スレッドモータ１０９がシャーシ１０６から脱落する方向に移動したときに、上記モータ脱落防止部１５２の水平片部１５４が上記ロータ１９７のフランジ部２００に係合して、スレッドモータ１０９の脱落方向への更なる移動を阻止して、シャーシ１０６からスレッドモータ１０９が脱落するのを防止する。
【００６７】
（７）伝達ギヤ群（ギヤトレイン）の構成
伝達ギヤ群１１０は、スレッドモータ１０９の回転を光学ピックアップ側に伝達して光学ピックアップ１０８を走行させる。図８に示すように、上記伝達ギヤ群１１０は、上記スレッドモータ１０９のロータ１９７の外周面に設けたリング状のギヤ（以下、第１のギヤと称する）２０１と、該第１のギヤ２０１に噛合している第２のギヤ２０２と、該第２のギヤ２０２の上面（シャーシ１０２と対向する面）にこれと同軸に形成された第３のギヤ２０３と、該第３のギヤ２０３に噛合している第４のギヤ２０４と、該第４のギヤ２０４に噛合している第５のギヤ２０５と、で構成されている。上記第５のギヤ２０５は、上記光学ピックアップ１０８のリードスクリュー１８５の端部に取付けられている。
【００６８】
上記第２のギヤ２０２には平板状のギヤ（平歯車）が用いられている。上記第３のギヤ２０３にはウォームギヤが用いられている。上記第４のギヤ２０４には軸状のウォームギヤが用いられている。上記第５のギヤ２０５にはウォームギヤが用いられている。
【００６９】
上記第４のギヤ２０４は、長さ方向の中央部を境にして一端側２０４ａと他端側２０４ｂが逆ネジに形成されていて、上記一端部２０４ａに上記第３のギヤ２０３が噛合し、他端部２０４ｂに上記第５のギヤ２０５が噛合している。そして、上記スレッドモータ１０９で上記第１のギヤ２０１、第２のギヤ２０２、第３のギヤ２０３、第４のギヤ２０４、第５のギヤ２０５を介して上記リードスクリュー１８５を回転させることにより光学ピックアップ１０８を走行させる。
【００７０】
上述のように、スレッドモータ１０９のロータ１９７の外周面にリング状の第１のギヤ２０１を設け、該第１のギヤ２０１の平板状の第２のギヤ２０２を噛合させる構成にしたので、ロータの底面に重ねて第１のギヤを設けた場合に較べてスレッドモータの厚さを薄くしてメカデッキを小型、薄型化することができる。
（８）作用および効果
実施例の記録再生装置１０１は、上述のような構成であって、図１に示すように、キャビネット蓋１０３を開いてカートリッジ１をメカデッキ１０５に装着する。カートリッジ１をメカデッキ１０５に装着するに際しては、図１１に示すように、カートリッジ１の前面１ａを誤挿入防止部１２１の第１，第２の位置決め突起１２２，１２３に当てて、カートリッジ１を仮位置決めすると、上記位置決め基準ピン１１１の先端がカートリッジ１の位置決め穴１３の開口部の周縁部に接触した状態になる。
【００７１】
この状態でカートリッジ１を後面１ｄ側（矢印ａ方向）に僅かに引けば、図１２に示すように、位置決め穴１３に位置決め基準ピン１１１が嵌合して、カートリッジ１の前後、左右方向の位置決めが成されるとともに、カートリッジ１は、上記第１，第２の位置決め突起１２２，１２３の付け根部分に設けた載置基準面１２４および位置決め基準ピン１１１の付け根部分に設けた載置基準面１２５によって高さ方向の位置決めが成される。
【００７２】
次に、キャビネット蓋１０３を閉じると、図２３，図２４に示すように、キャビネット蓋１０３の内面に設けたカートリッジ排出機構１４１の第１，第２のカートリッジ保持部１４３，１４４の係合部１４２がカートリッジ１の第１，第２の側面１ｂ，１ｃに設けた保持部材係合溝１４に係合するとともに、上記第１〜第４のカートリッジ押え部１４６〜１４９の先端でカートリッジ１をメカデッキ１０５のシャーシ１０６に押し付ける。そして、この状態で記録再生が行われる。
【００７３】
記録再生終了後にキャビネット蓋１０３を開けば、図２５〜図２７に示すように、
カートリッジ１の第１，第２の側面１ｂ，１ｃに設けた保持部材係合溝１４に係合部１４２が係合している第１，第２のカートリッジ保持部１４３，１４４によって、キャビネット蓋１０３と共にメカデッキ１０５のシャーシ１０６から持ち上げられて、カートリッジ１は、メカデッキ１０５から抜き出される。
【図面の簡単な説明】
【００７４】
【図１】記録再生装置のキャビネット蓋を開いた状態の斜視図。
【図２】記録再生装置のキャビネット蓋を閉じた状態の斜視図。
【図３】キャビネット蓋を取り外した状態の斜視図。
【図４】カートリッジの前面側を下に向けて傾斜させ、上記前面側を誤挿入防止部に接触させた状態の斜視図。
【図５】図４の平面図。
【図６】カートリッジを装着した後の状態の記録再生装置の斜視図。
【図７】図６の上面図。
【図８】メカデッキの下面図。
【図９】カートリッジの斜視図。
【図１０】カートリッジを底面側から見た斜視図。
【図１１】カートリッジの前面を誤挿入防止部に当てて仮位置決めした状態の側面図。
【図１２】基準穴に基準ピンを挿入してカートリッジを本位置決めした状態の側面図。
【図１３】誤挿入防止部によって誤装着を防止した状態の平面図。
【図１４】誤挿入防止部によって誤装着を防止した状態の平面図。
【図１５】誤挿入防止部の他の実施例の斜視図。
【図１６】誤挿入防止部を取り外した状態の斜視図。
【図１７】図１５のＡ−Ａ断面図。
【図１８】カートリッジを装着した状態の平面図。
【図１９】カートリッジを誤装着した状態の平面図。
【図２０】キャビネット蓋とカートリッジ排出機構等の斜視図。
【図２１】キャビネット蓋を開いた状態の断面図。
【図２２】カートリッジを装着した状態の断面図。
【図２３】キャビネット蓋を閉じた状態の断面図。
【図２４】キャビネット蓋閉状態におけるのカートリッジ排出機構の作用を示す斜視図。
【図２５】キャビネット蓋を開いてカートリッジを持上げた状態の断面図。
【図２６】キャビネット蓋を開いてカートリッジを持上げた状態の正面図。
【図２７】キャビネット蓋開状態におけるのカートリッジ排出機構の作用を示す斜視図。
【図２８】カートリッジを抜き出す際のカートリッジ排出機構の作用を示す平面図。
【図２９】スピンドルモータの断面図。
【図３０】スピンドルモータのロータとターンテーブルの要部の分解断面図。
【図３１】スピンドルモータのロータとターンテーブルの要部を組合せた状態の断面図。
【図３２】スピンドルモータの第２実施例の断面図。
【図３３】第２実施例のスピンドルモータのロータとターンテーブルの要部の分解断面図。
【図３４】第２実施例のスピンドルモータのロータとターンテーブルの要部を組合せた状態の断面図。
【図３５】スピンドルモータの第３実施例の断面図。
【図３６】第３実施例のスピンドルモータのロータとターンテーブルの要部の分解断面図。
【図３７】第３実施例のスピンドルモータのロータとターンテーブルの要部を組合せた状態の断面図。
【図３８】スピンドルモータの第４実施例の断面図。
【図３９】第４実施例のスピンドルモータのロータとターンテーブルの要部の分解断面図。
【図４０】第４実施例のスピンドルモータのロータとターンテーブルの要部を組合せた状態の断面図。
【図４１】スレッドモータの断面図。
【図４２】スレッドモータのロータの断面図。
【図４３】従来例の斜視図。
【図４４】従来例の側面図。
【符号の説明】
【００７５】
１…カートリッジ、１ａ…カートリッジの前面、１ｂ，１ｃ…カートリッジの側面、１ｄ…カートリッジの後面、１３…位置決め穴、１４…カートリッジ排出機構係合溝、１０１…記録再生装置、１０２…キャビネット、１０３…キャビネット蓋、１０４…メカデッキ収納部、１０５…メカデッキ、１０６…シャーシ、１０７…スピンドルモータ、１０８…光学ピックアップ、１０９…スレッドモータ、１１０…伝達ギヤ群、１１１…位置決め基準ピン、１２１，１２１Ａ…誤挿入防止部、１２２…第１の位置決め突起、１２３…第２の位置決め突起、１２４…高さ位置決め突起、１３１…第２実施例の誤挿入防止部のベースプレート、１３２…第２実施例の誤挿入防止部の曲面部、１４１…カートリッジ排出機構、１４２…係合部、１４３…第１のカートリッジ保持部、１４４…第２のカートリッジ保持部、１４５…ベース部、１４６〜１４９…第１〜第４のカートリッジ押え部。
【図１】
2008130198.tif 000003
【図２】
2008130198.tif 000004
【図３】
2008130198.tif 000005
【図４】
2008130198.tif 000006
【図５】
2008130198.tif 000007
【図６】
2008130198.tif 000008
【図７】
2008130198.tif 000009
【図８】
2008130198.tif 000010
【図９】
2008130198.tif 000011
【図１０】
2008130198.tif 000012
【図１１】
2008130198.tif 000013
【図１２】
2008130198.tif 000014
【図１３】
2008130198.tif 000015
【図１４】
2008130198.tif 000016
【図１５】
2008130198.tif 000017
【図１６】
2008130198.tif 000018
【図１７】
2008130198.tif 000019
【図１８】
2008130198.tif 000020
【図１９】
2008130198.tif 000021
【図２０】
2008130198.tif 000022
【図２１】
2008130198.tif 000023
【図２２】
2008130198.tif 000024
【図２３】
2008130198.tif 000025
【図２４】
2008130198.tif 000026
【図２５】
2008130198.tif 000027
【図２６】
2008130198.tif 000028
【図２７】
2008130198.tif 000029
【図２８】
2008130198.tif 000030
【図２９】
2008130198.tif 000031
【図３０】
2008130198.tif 000032
【図３１】
2008130198.tif 000033
【図３２】
2008130198.tif 000034
【図３３】
2008130198.tif 000035
【図３４】
2008130198.tif 000036
【図３５】
2008130198.tif 000037
【図３６】
2008130198.tif 000038
【図３７】
2008130198.tif 000039
【図３８】
2008130198.tif 000040
【図３９】
2008130198.tif 000041
【図４０】
2008130198.tif 000042
【図４１】
2008130198.tif 000043
【図４２】
2008130198.tif 000044
【図４３】
2008130198.tif 000045
【図４４】
2008130198.tif 000046